(57)【要約】【課題】本発明は、空冷衣料用通風器と、この空冷衣料用通風器を装着した空冷用衣料に関するもので、冷却効果を高めることを目的とするものである。【解決手段】空冷用衣料２の肩部分内面５５に空冷衣料用通風器４２を装着した。この空冷衣料用通風器４２は、空冷用衣料２の肩部分内面５５へ装着される平板状の基体４３と、この肩部分内面５５から内側に向けて基体４３から肩４４側（下側）に突出した複数の突起４５と、基体４３を空冷用衣料２の肩部分内面５５へ装着する各装着手段４６，４８とを備えている。【選択図】図３５
2018044265.tif 000002
【特許請求の範囲】
【請求項１】
ファンにより空気を取り込んで冷却を行う空冷用衣料に装着される空冷衣料用通風器であって、前記空冷用衣料の肩部分内面へ装着される基体と、前記肩部分内面から内側に向けて前記基体から突出した複数の突起と、前記基体を前記肩部分内面へ装着する装着手段とを備え、前記複数の突起は、前記基体の平面方向において所定間隔を置いて配置され、これら複数の突起間において、通風路を形成する空冷衣料用通風器。
【請求項２】
前記複数の突起は、前記空冷用衣料の肩線方向に所定間隔で配置された請求項1に記載の空冷衣料用通風器。
【請求項３】
前記複数の突起は、前記空冷用衣料の肩線方向に直行する方向に所定間隔で配置された請求項１または２に記載の空冷衣料用通風器。
【請求項４】
前記基体は板状とし、この基体に、複数の突起を一体成形した請求項１から３のいずれか一つに記載の空冷衣料用通風器。
【請求項５】
前記基体および前記複数の突起は、柔軟性のゴム、または柔軟性の合成樹脂によって形成した請求項１から４のいずれか一つに記載の空冷衣料用通風器。
【請求項６】
前記装着手段は、突起よりも低い状態とした請求項１から５のいずれか一つに記載の空冷衣料用通風器。
【請求項７】
請求項１から６のいずれか一つに記載の空冷衣料用通風器が装着される空冷用衣料であって、ファンと、このファンを駆動するモータと、前記空冷衣料用通風器が装着される装着部とを備え、前記装着部は、肩部分の内面側に配置された空冷用衣料。
【請求項８】
前記ファンは、背面側に配置された請求項７に記載の空冷用衣料。
【請求項９】
前記ファンは、背面側において、上方側が外側に、下方側が内側に傾斜状態で装着された請求項８に記載の空冷用衣料。
【請求項１０】
首周りの前面側は、後面側よりも下方に引き下げた形状とした請求項７から９のいずれか一つに記載の空冷用衣料。
【請求項１１】
首周りの前面側の内面には、襟元部分の内面へ装着される基体と、前記襟元部分の内面から内側に向けて前記基体から突出した複数の突起と、前記基体を前記襟元部分の内面へ装着する装着手段とを備え、前記複数の突起は、前記基体の平面方向において所定間隔を置いて配置され、これら複数の突起間において、通風路を形成した補助通風器を配置した請求項１０に記載の空冷用衣料。
【請求項１２】
前記補助通風器は、前記空冷衣料用通風器よりも小さくした請求項１１に記載の空冷用衣料。
【発明の詳細な説明】
【技術分野】
【０００１】
本発明は、空冷衣料用通風器と、この空冷衣料用通風器を装着した空冷用衣料に関するものである。
【背景技術】
【０００２】
例えば、雰囲気温度が高い場所で、作業や活動を行うときに、着用する空冷用衣料が提案され、脚光を浴びている。
具体的な構成としては、先ず、ファンにより、空冷用衣料外の空気を取り込み、次に、この空気を空冷用衣料内面と人体表面の間に沿わせ、その後、前記空気を首周りの開口部から空冷用衣料外に排出させる構成となっていた（これに類似する構成としては例えば、下記特許文献１が存在する）。
【先行技術文献】
【特許文献】
【０００３】
【特許文献１】特開２０１５−７４８５２号公報
【発明の概要】
【発明が解決しようとする課題】
【０００４】
上記従来例においては、首周りの後方に調整ベルトが設けられ、首周りから排出される空気量を変更することができるようになっている。
すなわち、調整ベルトを締めると、首の後ろ側に大きな開口部が形成され、この開口部を介して首の後方部分に上記ファンからの空気を多量に通過させ、首筋後方部分の冷却も行おうとしている。
【０００５】
しかしながら、上記のように首周りの後方に調整ベルトを設け、首筋後方に形成される開口部の大きさを調整するものは、首筋後方部分に流れる空気量の方が、首筋前方部分に流れる空気量よりも多くなり、その結果として、冷却効果を高めることができなかった。
【０００６】
この点を、今少し説明すると、上記のように首周りの後方に調整ベルトを設け、首筋後方に形成される開口部の大きさを調整するものは、首筋後方部分に大きな開口部が形成されるので、上記ファンからの空気はほとんどが、この首筋後方に形成される開口部を通過して空冷用衣料外へと排出され、逆に、首筋の前方側から排出される空気量は少ないものとなる。
【０００７】
しかしながら、人間は、首筋後方側よりも、首筋前方側、具体的には、耳の前側、顔部分に風を当てたほうが、より涼しさを感じるようになっているので、上記のようにファンからの空気のほとんどを、首筋後方に形成される開口部を通過させて空冷用衣料外へと排出する構造にすると、冷却効果を高めることができなかった。
【０００８】
そこで、本発明は、冷却効果を高めることを目的とするものである。
【課題を解決するための手段】
【０００９】
そして、この目的を達成するために本発明は、空冷用衣料に装着される空冷衣料用通風器を提供するものであり、その構成は、前記空冷用衣料の肩部分内面へ装着される基体と、前記肩部分内面から内側に向けて前記基体から突出した複数の突起と、前記基体を前記肩部分内面へ装着する装着手段とを備え、前記複数の突起は、前記基体の平面方向において所定間隔を置いて配置され、これら複数の突起間において、通風路を形成する構成とした。
【発明の効果】
【００１０】
以上のように本発明の空冷衣料用通風器は、前記空冷用衣料の肩部分内面へ装着されるものであって、前記空冷用衣料の肩部分内面へ装着される基体と、前記肩部分内面から内側に向けて前記基体から突出した複数の突起と、前記基体を前記肩部分内面へ装着する装着手段とを備え、前記複数の突起は、前記基体の平面方向において所定間隔を置いて配置され、これら複数の突起間において、通風路を形成する構成としたので、空冷用衣料の冷却効果を高めることができる。
すなわち、本発明の空冷衣料用通風器を、前記空冷用衣料の肩部分内面へ装着すれば、首筋の後方側から排出される空気を、前記複数の突起間に形成される通風路を介して、首筋前方側、具体的には、耳部分、及び耳の前側、顔部分に誘導することができ、その結果として冷却効果を高めることができるのである。
【図面の簡単な説明】
【００１１】
【図１】本発明の一実施形態にかかる空冷用衣料の背面図。
【図２】本発明の一実施形態にかかる空冷用衣料の背面図。
【図３】本発明の一実施形態にかかる空冷用衣料の背面図。
【図４】本発明の一実施形態にかかる空冷用衣料の背面図。
【図５】同空冷用衣料に装着される空冷用送風機の分解斜視図。
【図６】同空冷用衣料に装着される空冷用送風機の断面図。
【図７】同空冷用衣料に装着される空冷用送風機の分解斜視図。
【図８】同空冷用衣料に装着される空冷用送風機の斜視図。
【図９】同空冷用衣料に装着される空冷用送風機の平面図。
【図１０】同空冷用衣料に装着される空冷用送風機の側面図。
【図１１】同空冷用衣料に装着される空冷用送風機の背面図。
【図１２】同空冷用衣料に装着される空冷用送風機の側面図。
【図１３】同空冷用衣料に装着される空冷用送風機の側面図。
【図１４】同空冷用衣料に装着される空冷用送風機の側面図。
【図１５】同空冷用衣料に装着される空冷用送風機の取付リングの斜視図。
【図１６】同空冷用衣料に装着される空冷用送風機の取付リングの斜視図。
【図１７】同空冷用衣料に装着される空冷用送風機の取付リングの斜視図。
【図１８】同空冷用衣料に装着される空冷用送風機の取付リングの斜視図。
【図１９】同空冷用衣料に装着される空冷用送風機の取付リングの平面図。
【図２０】同空冷用衣料に装着される空冷用送風機の取付リングの背面図。
【図２１】同空冷用衣料に装着される空冷用送風機の取付リングの図２０のＡ−Ａ拡大断面図。
【図２２】同空冷用衣料に装着される空冷用送風機の分解斜視図。
【図２３】同空冷用衣料に装着される空冷用送風機のコントローラの斜視図。
【図２４】同空冷用衣料に装着される空冷用送風機の電気回路図。
【図２５】本発明の一実施形態にかかる他の空冷用衣料の正面図。
【図２６】同空冷用衣料の背面図。
【図２７】本発明の一実施形態にかかる、さらに他の空冷用衣料の正面図。
【図２８】同空冷用衣料の一部拡大断面図。
【図２９】同空冷用衣料の背面図。
【図３０】本発明の一実施形態に係る空冷衣料用通風器を装着した空冷用衣料の背面図。
【図３１】本発明の一実施形態に係る空冷衣料用通風器を装着した空冷用衣料の正面図。
【図３２】本発明の一実施形態に係る空冷衣料用通風器の平面図。
【図３３】本発明の一実施形態に係る空冷衣料用通風器の図３２におけるＢ−Ｂ正面断面図。
【図３４】本発明の一実施形態に係る空冷衣料用通風器の図３２におけるＣ−Ｃ側面断面図。
【図３５】本発明の一実施形態に係る空冷衣料用通風器を空冷用衣料の装着した状態を示す側面断面図。
【図３６】本発明の一実施形態に係る補助空冷衣料用通風器の平面図。
【図３７】本発明の一実施形態に係る補助空冷衣料用通風器の図３６におけるＤ−Ｄ正面断面図。
【図３８】本発明の一実施形態に係る補助空冷衣料用通風器の図３６におけるＥ−Ｅ側面断面図。
【図３９】本発明の一実施形態に係る空冷用衣料の機能を示す図。
【発明を実施するための形態】
【００１２】
（実施の形態１）
以下、本発明の一実施形態を、添付図面を用いて説明する。
図１は、本発明の一実施形態にかかる空冷用衣料２に空冷用送風機１を装着した状態を示すものである。
空冷用衣料２は、この実施形態では、人体の上半身に着る上着を例にしており、その背中部分の下方に、２個の空冷用送風機１が装着されている。
この空冷用衣料２は、基本的には空気の透過性が悪い材料によって形成されているので、空冷用送風機１によって空冷用衣料２内に吸引された空気（外気）は、人体と空冷用衣料２の間に形成される隙間を経由し、襟元３や、袖口４から空冷用衣料２外へと吹き出される。
そして、このように空気（外気）が、人体と空冷用衣料２の間に形成される隙間を流れるときに、人体表面の汗を蒸発させ、それを空冷用衣料２外へと排出することで、発汗作用を増長し、空冷効果を発揮するものである。
【００１３】
なお、本実施形態の空冷用衣料２は、空冷用送風機１装着部分の下方、つまり、人体の腰対向部分に、絞り部分２ａを設け、空冷用衣料２内に吸入した外気は、上述のごとく、襟元３や、袖口４から空冷用衣料２外へと吹き出させるようにしている。
すなわち、顔や、首筋や手首部分に送風するほうが、涼しいと感じる着用者が多いので、上述のごとく、空冷用送風機１によって吸引した空気（外気）は空冷用衣料２の上方へと偏った状態で流すようにしている。
【００１４】
また、空冷用送風機１は、図２〜図４に示すように、空冷用衣料２への取り付け角度を調整することで、襟元３と、袖口４からの空気（外気）流出量を調整し、個人の冷却に対する好みに応えることができるようになっており、この点は、あとで詳細に説明する。
【００１５】
以下、空冷用送風機１の構成について詳細に説明する。
空冷用送風機１は、図５〜図８に示すように、一端側（空冷用衣料２の外側）に空気吸入口５ａ、他端側（空冷用衣料２の内側）に空気吹出口５ｂを有する筒状ファンケース６と、この筒状ファンケース６内の中心軸Ｘ部分に設けられたファン７と、このファン７を駆動するモータ８と、前記筒状ファンケース６の外周壁の全周部分から、外周方向に突出形成された取付フランジ９と、前記筒状ファンケース６の外周部分において、前記取付フランジ９に係合させられるリング状の取付リング１０と、を備えている。
【００１６】
本実施形態で特徴的なのは、以下の４点である。
（１）図５〜図１４に示すように、筒状ファンケース６の一端側（空冷用衣料２の外側）に空気吸入口５ａ、他端側（空冷用衣料２の内側）に空気吹出口５ｂを設けた。
（２）また、前記取付フランジ９を、筒状ファンケース６の空気吸入口５ａ、空気吹出口５ｂ間の外周壁部分において、前記筒状ファンケース６の中心軸Ｘに対して傾斜した状態で、筒状ファンケース６の外周壁部分から、外周方向に一体形成した。
（３）さらに、この取付フランジ９の円周部の一部、またはその近傍の筒状ファンケース６部分に、爪状の第１の係止部１１、この第１の係止部１１に対して、前記筒状ファンケース６の中心軸Ｘを介して対向する側の取付フランジ９の円周部の一部、またはその近傍の筒状ファンケース６部分に、貫通孔状の第２の係止部１２を、それぞれ設けた。
つまり、第１の係止部１１、第２の係止部１２は、筒状ファンケース６の長手方向（空気吸入口５ａ、空気吹出口５ｂの間）において、設置位置を異ならせている。
具体的には、第１の係止部１１は、図５、図６から理解されるように、第２の係止部１２よりも、空気吹出口５ｂ側に設けられている。つまり、第１の係止部１１は、筒状ファンケース６の空気吹出口５ｂ側の端部において、形成されているものであり、この状態では、第２の係止部１２よりも、空気吹出口５ｂ側に設けられていることになるのである。
また、貫通孔状の第２の係止部１２は、図５、図６から理解されるように、筒状ファンケース６の外周部分に設けられているので、上記筒状ファンケース６の空気吹出口５ｂ側の端部に形成された第１の係止部１１よりも、空気吸入口５ａ側に設けられていることになるのである。
（４）さらにまた、図５、図６、図７、図１６〜図２０に示すように、前記取付リング１０の、前記第１の係止部１１に対応する部分に、切欠き状の第１の係合部１３、前記第２の係止部１２に対応する前記取付リング１０部分に、爪状の第２の係合部１４を設けたことである。
【００１７】
すなわち、本実施形態では、筒状ファンケース６の他端側に空気吹出口５ｂを設け、また、筒状ファンケース６の空気吸入口５ａ、空気吹出口５ｂ間部分の外周壁部分に設けた取付フランジ９は、前記筒状ファンケース６の中心軸Ｘに対して傾斜した状態で形成し、さらに、この取付フランジ９に対して取付リング１０を係合させる構成としたので、図５、図６から理解されるように、空冷用送風機１は空冷用衣料２の貫通孔１５部分に、傾斜状態で装着され、その結果として、図６のごとく、筒状ファンケース６他端側の空気吹出口５ｂも、空冷用衣料２の外気排出側（上方の襟元３や、袖口４）へと傾いた状態となる。
このため、筒状ファンケース６の空気吹出口５ｂから吹き出した空気（外気）の大部分を、図２〜図４から理解されるように、空冷用衣料２の外気排出側（上方の襟元３や、袖口４）へと効果的に流すことができるようになり、その結果として、空冷用送風機１として小型化しやすくなる。
【００１８】
また、小型化した空冷用送風機１は扱いやすく、しかも、取付フランジ９が傾斜状態となっているので、取付リング１０の係合作業、あるいは係合解除作業、つまり空冷用衣料２への空冷用送風機１の装着、および、その後の取り外しが簡単に行え、使い勝手の良いものとなる。
【００１９】
つまり、本実施形態では、上述した傾斜状態の取付フランジ９の一部、またはその近傍の筒状ファンケース６に、爪状の第１の係止部１１、この第１の係止部１１に対して、前記筒状ファンケース６の中心軸Ｘを介して対向する側の取付フランジ９の一部、またはその近傍の筒状ファンケース６に、貫通状の第２の係止部１２を設け、前記取付リング１０の、前記第１の係止部１１に対応する部分に、切欠き状の第１の係合部１３、前記第２の係止部１２に対応する部分に、第２の係合部１４を設けた。
また、この状態において、前記第１、第２の係止部１１、１２は、筒状ファンケース６の長手方向の位置に差を持たせた状態で配置したものである。
【００２０】
このため、例えば、図５、図６のように、空冷用衣料２に空冷用送風機１を装着するときには、まず、空冷用衣料２の貫通孔１５に、この空冷用衣料２の表側から、空冷用送風機１の空気吹出口５ｂを挿入し、その取付フランジ９の空気吹出口５ｂ側の面を空冷用衣料２の貫通孔１５の開口縁に当接させる。
次に、取付リング１０を、空冷用衣料２の裏側から筒状ファンケース６の外周壁部分に嵌め込み、取付フランジ９側に摺動移動させ、その後、前記取付フランジ９側の第１の係止部１１と、取付リング１０の第１の係合部１３を当接させ、ここで、前記取付フランジ９側の第１の係止部１１と、取付リング１０の第１の係合部１３を係合させ、次に、この部分を軸として、前記取付リング１０の第２の係合部１４を取付フランジ９側の第２の係止部１２方向に摺動移動させながら係合させれば、空冷用送風機１を空冷用衣料２に簡単に装着することができ、作業性の良いものとなる。
【００２１】
また、取付リング１０を取付フランジ９から係合解除する時には、前記取付フランジ９側の第１の係止部１１、取付リング１０の第１の係合部１３の係合部分を軸として、前記取付リング１０の第２の係合部１４を、取付フランジ９側の第２の係止部１２から引き外せば良い。
その後、取付リング１０を、筒状ファンケース６の空気吹出口５ｂ側へと摺動させ、筒状ファンケース６から取り外せば、空冷用送風機１を空冷用衣料２から簡単に取り外すことができ、作業性の良いものとなる。
【００２２】
これに対して、取付フランジがファンケースに対して直交する方向に突出した従来例の場合は、取付フランジの第１、第２の係止部が、筒状ファンケースの長手方向において同一の位置に設けられた状態となっているので、これらの取付フランジへの取付リングの係合作業、あるいは係合解除作業は、第１の係止部と第１の係合部、第２の係止部と第２の係合部、それぞれの、係合、または解除を同時に行うことになることが多く、作業が煩雑となる。
【００２３】
つまり、本実施形態では、取付フランジ９を傾斜させ、第１、第２の係止部１１、１２の、筒状ファンケース６の長手方向（軸方向）の位置に差を持たせたものであるので、取付フランジ９への取付リング１０の係合作業、および、その状態からの係合解除作業が簡単に行えるものとなり、その結果として、空冷用送風機１の空冷用衣料２への装着作業、および、取り外し作業が極めて行いやすいものとなり、使い勝手の良いものとなるのである。
【００２４】
なお、本実施形態では、前記取付フランジ９の筒状ファンケース６の空気吹出口５ｂ側の傾斜部、またはその近傍に、第１の係止部１１を設けたので、取付リング１０の第２の係合部１４の係合ストロークを、空気吸入口５ａ側へと大きく取れるので、作業性の良いものとなる。
また、本実施形態では、前記取付フランジ９の第１の係止部１１と、前記取付リング１０の第１の係合部１３は、それぞれ複数個設けているので、第１の係止部１１および第１の係合部１３の係合部分を軸として、取付リング１０の第２の係合部１４側を、取付フランジ９側の第２の係止部１２へと回動動作させる、取付リング１０の着脱動作が安定するものとなる。
【００２５】
さらに、本実施形態では、前記取付フランジ９、またはその近傍の筒状ファンケース６部分で、筒状ファンケース６の第一の係止部１１よりも空気吸込口５ａ側（空気吹出口５ｂよりも空気吸込口５ａ側）に、第２の係止部１２を設けたので、取付リング１０の第２の係合部１４の、前記第２の係止部１２への係合ストロークを大きく取ることができ、着脱の実感が体感でき、作業性の良いものとなる。
【００２６】
また、本実施形態では、傾斜した取付フランジ９が、空気吸込口５ａに接近する側の、この取付フランジ９の筒状ファンケース６の空気吹出口５ｂ側（空気吸込口５ａよりも空気吹出口５ｂ側）に、図２２〜図２７のように、モータ８への通電部１６を設け、ここに、通電用のプラグ１７を着脱自在に挿入する構成としている。
つまり、この部分は、取付フランジ９から離れた部分となるので、通電部１６を設定しやすく、また、プラグ１７の着脱時に取付フランジ９が邪魔になることも少ない。
【００２７】
さらに、本実施形態では、前記取付リング１０の第２の係合部１４は、図２１に示すように、断面視してＵ字状であり、この取付リング１０の、前記筒状ファンケース６の空気吸込口５ａ側（空気吹出口５ｂよりも空気吸込口５ａ側）部分において、同取付リング１０に一体化され、この一体化部分から、この取付リング１０よりも、前記筒状ファンケース６の空気吹出口５ｂ側へと延長形成されている。
つまり、このように第２の係合部１４を取付リング１０の、前記筒状ファンケース６の空気吸込口５ａ側から、前記筒状ファンケース６の空気吹出口５ｂ側へと、しかも、取付リング１０よりも空気吹出口５ｂ側にまで、延長形成することで、長いレバー状とすることができ、その結果、操作において先端側に外力が加えられる際、基側が支点となって撓みやすく、操作性の良いものとなる。
【００２８】
また、本実施形態では、図１５、図１６に示すように、前記取付リング１０の第２の係合部１４近傍に、前記モータ８への通電部に接続するプラグ１７が貫通する貫通孔１８を設けている。このため、プラグ１７が通電部１６に装着された状態では、プラグ１７が取付リング１０の貫通孔１８を貫通した状態となり、その結果、取付リング１０の第２の係合部１４と上記筒状ファンケース６側の第２の係止部１２の係合が、不用意に解除されにくいものとなる。
【００２９】
さらに、本実施形態では、前記取付フランジ９またはその近傍の筒状ファンケース６部分の第１の係止部１１と、第２の係止部１２間の部分には、図５、図１２、図１３、図２２などに示すように、前記筒状ファンケース６一端側の空気吸入口５ａ、他端側の空気吹出口５ｂ間において、外周方向に向けて交互に突出する第１の凹凸部１９を設けている。また、図１５〜図１８に示すように、取付リング１０の、前記第１の凹凸部１９に対応する部分には、内側に向けて交互に突出する第２の凹凸部２０を設けている。
このため、筒状ファンケース６の外周部分における、筒状ファンケース６、取付フランジ９側の第１の係止部１１、第２の係止部１２と、前記取付リング１０側の第１の係合部１３、第２の係合部１４との、係合間を、これらの第１、第２の凹凸部１９、２０で係合状態とすることができる。
また、第１、第２の凹凸部１９、２０は、それぞれ複数の凹凸により形成しているので、各凹凸を介することで摺動が小刻みとなり、取付フランジ９と取付リング１０とを、凹凸の数に応じた任意の間隔で係合することで空冷用衣料２の厚みの違いを吸収し、取り付けを安定させることにもなり、極めて有用なものとなる。
【００３０】
また、以上のように着脱する取付リング１０は、筒状ファンケース６、または取付フランジ９よりも明色としている。
つまり、取付リング１０を、筒状ファンケース６、または取付フランジ９とは別の色とし、しかも明るい色にすることで、この取付リング１０が、筒状ファンケース６、または取付フランジ９とは別物と認識し、取付リング１０を、筒状ファンケース６に装着、またはその状態から取り外すことが容易に行えるものとなる。
さらに、前記取付リング１０は、蛍光色とすれば、暗所でも、その脱着作業が行いやすいものとなる。
【００３１】
また、本実施形態では、図２２のように、前記筒状ファンケース６の空気吹出口５ｂ部分に、送風ガイド２１を設け、この送風ガイド２１の中心部には、図６に示すようにモータ８を取り付けるモータ取付部２２を設け、このモータ取付部２２の筒状ファンケース６外部分には、第１の取付基準マーク２３を設けている。また、フランジ９には、図９に示すように第２の取付基準マーク３５も設けている。
このため、第１の取付基準マーク２３または第２の取付基準マーク３５を利用して、図２〜図４の送風状態を形成することができる。
【００３２】
たとえば、図２において第１の取付基準マーク２３を、空冷用衣料２の裏側において、目印となる枠状縫い目２４の二つのコーナ２５、２６、あるいはその中間（これらのコーナ２５、２６、あるいはその中間は、空冷用衣料２にとっての取り付け基準マークになる）に合わせれば、外気の吹き出し方向を調整することができるのである。
つまり、傾斜状態の取付フランジ９と、取付リング１０を用いて空冷用送風機１を、空冷用衣料２に取り付けているので、図２〜図４に示すように、角度を調整することで、襟元３と、袖口４からの外気流出量を調整し、個人の冷却に対する好みに応えて調整することができるのである。このことは、空冷用衣料２の生地上において、第２の取付基準マーク３５が互いに離れる方向に、または、互いに向き合う方向に、空冷用送風機１を回転させても同様である。
【００３３】
また、本実施形態では、図６、図２２のように、前記モータ取付部２２の筒状ファンケース６内部分には、モータ８の駆動回路２７を設けたので、この点からも空冷用送風機１の小型化を図りやすいものとなる。
つまり、この部分は、モータ８が存在する部分で、もともと外気の流れの少ない部分であるので、この空間を利用し、駆動回路２７を設け、小型化を図ったものである。
【００３４】
なお、駆動回路２７は図２４に示すように、バッテリー２８から制御回路２９を介して供給された電圧を、入力電圧検出回路３０、昇圧回路３１、出力電圧検出回路３２を介してモータ８に供給する回路であり、入力電圧検出回路３０と出力電圧検出回路３２の電圧は比較増幅回路３３を介してフィードバック制御されるようになっている。
また、バッテリー２８、制御回路２９は図２３に示す外部ケース３４内に収納され、身体の例えば、腰部分に保持される。
なお、前記モータの駆動回路２７は、入力電圧に比例したモータ駆動電圧を、モータ８に出力する構成としている。
【００３５】
以上の説明で、本実施形態の基本的な構成が理解されたところで、以下に、本実施形態の最大の特徴点について説明する。
【００３６】
本実施形態では、上述のように、筒状ファンケース６の他端側に空気吹出口５ｂを設け、また、筒状ファンケース６の空気吸入口５ａ、空気吹出口５ｂ間部分の外周壁部分に設けた取付フランジ９は、前記筒状ファンケース６の中心軸Ｘに対して傾斜した状態で形成し、さらに、この取付フランジ９に対して取付リング１０を係合させる構成とした。
このため、図５、図６から理解されるように、空冷用送風機１は空冷用衣料２の貫通孔１５部分に、傾斜状態で装着され、その結果として、図６のごとく、筒状ファンケース６他端側の空気吹出口５ｂも、空冷用衣料２の外気排出側（上方の襟元３）へと傾いた状態となる。
したがって、筒状ファンケース６の空気吹出口５ｂから吹き出した外気の大部分を、図２〜図４から理解されるように、空冷用衣料２の外気排出側（上方の襟元３や、袖口４）へと効果的に流すことができるようになり、送風による冷却効果を高めることができる。
そして、このように送風量を高めた状態で、首筋の前側（耳部分から前側）への送風量を、後ろ側（首筋の後ろ側）よりも多くすることで、冷却効果を高めることが、本実施形態の最も大きな特徴である。
【００３７】
具体的には、図３０、図３５に示すように、本実施形態では、空冷用衣料２における装着部である肩部分内面５５に、図３２〜図３４に示す空冷衣料用通風器４２を装着した。
この空冷衣料用通風器４２は、前記空冷用衣料２の肩部分内面５５へ装着される平板状の基体４３と、肩部分内面５５から内側の肩４４に向けて基体４３から下側に突出した複数の突起４５と、前記基体４３を前記空冷用衣料２の肩部分内面５５へ装着する装着手段としての内側装着手段４６及び外側装着手段４８を備えている。
【００３８】
前記複数の突起４５は、前記基体４３の平面方向において前後（肩線方向に直行する方向）、左右（肩線方向）に、所定間隔を置いて配置され、図３５のごとく、これら複数の突起４５間において、通風路４７が形成されるようになっている。
前記基体４３は、図３２〜図３４から理解されるように、板状となっており、この基体４３に、複数の突起４５が一体成形されている。
【００３９】
また、前記基体４３と、突起４５は柔軟性のゴム、または柔軟性の合成樹脂によって形成されているので、基体４３を各装着手段４６，４８によって空冷用衣料２の肩部分内面５５に取り付け、図３５のように、人体に装着すると、基体４３は肩４４の形状に沿って弾性変形する。
また、この状態では、突起４５が肩４４に直接、または下着を介して接することになるが、この突起４５の先端（図３５では肩４４側端）は丸く加工され、しかも柔らかいので、肩４４に対して痛感を与えることはない。
【００４０】
さらに、この図３５の状態で、突起４５間には、通風路４７が形成されているので、背面側の空冷用送風機１からの送風は、背中部分を通過後、この通風路４７を通過し、首筋方向へとスムーズに向かうことになる。
つまり、本実施形態では、筒状ファンケース６の空気吹出口５ｂから吹き出した空気（外気）の大部分を、図２〜図４から理解されるように、空冷用衣料２の外気排出側（上方の襟元３や、袖口４）へと効果的に流すことができるようになり、送風による冷却効果を高めることができる。
そして、このように送風量を高めた状態で、空冷衣料用通風器４２によって、首筋の前側（耳部分、及び耳部分から前側、顔側）への送風量を、後ろ側（首筋の後ろ側）よりも多くすることができる。
【００４１】
これに対して、空冷衣料用通風器４２を設けていない従来例では、肩４４の存在により、背面側から前面側への風路が分断、または分断に近い状態となり、その結果、背面側の空冷用送風機１からの送風は、背中部分を通過後、首筋の後ろ側へ流れることが多くなる。
つまり、この状態では、首筋の後ろ側への送風が多く、耳部分、耳よりも前側、顔部分に流れる風量が少なくなる。
【００４２】
しかし、人間は、送風による涼しさを、首筋の後ろ側よりも、耳部分、耳よりも前側、顔部分で感じることが多く、よって、可能な限り、耳部分、耳よりも前側、顔部分への送風量を多くすべきである。
そこで、本実施形態では、上述のように、空冷用衣料２の肩部分内面５５に、図３２〜図３４に示す空冷衣料用通風器４２を装着し、肩４４部分で分断されていた部分に、複数の突起４５による通風路４７を形成することとした。
その結果、空冷衣料用通風器４２による、首筋の前側（耳部分、及び耳部分から前側、顔側）への送風量を、後ろ側（首筋の後ろ側）よりも多くし、冷却効果を高めたものである。
【００４３】
なお、前記基体４３の内側装着手段４６は、図３４から理解されるように下方に突出したピン形状としており、このピン形状部分を図３５のごとく、空冷用衣料２の肩４４部分（空冷用衣料２の肩線部分）に固定した下方に向けた窪みを有する外側装着手段４８に押し込んで、着脱自在に係合させている。
また、この状態において、図３５のごとく、内側装着手段４６が肩４４に触れることがないように、装着手段４６は突起４５よりも低背状態とした。すなわち、内側装着手段４６の高さを突起４５よりも低くすることで、隣接する突起４５同士の間において、内側装着手段４６が突起４５の先端よりも低い位置に配置されている。
【００４４】
図３１は、空冷用衣料２の前側で、襟元３部分の内側（首周りの前面側の内面側）に、図３６〜図３８に示す補助通風器４９を配置した状態を示す。
【００４５】
この補助通風器４９は、空冷衣料用通風器４２よりも小さくした点が特徴である。
その他の構成は、空冷衣料用通風器４２と略同様に、前記空冷用衣料２の襟元３部分の内面へ装着される平板状の基体５０と、襟元３部分の内面から内側に向けて基体５０から胸５１側（後方側）に突出した複数の突起５２と、前記基体５０を前記空冷用衣料２の襟元３部分の内面へ装着する装着手段５３とを備えている。
【００４６】
前記複数の突起５２は、前記基体５０の平面方向において上下方向、左右方向に、所定間隔を置いて配置され、図３７のごとく、これら複数の突起５２間において、通風路５４が形成されるようになっている。
前記基体５０は、図３６〜図３８から理解されるように、板状となっており、この基体５０に、複数の突起５２が一体成形されている。
【００４７】
また、前記基体５０と、突起５２は柔軟性のゴム、または柔軟性の合成樹脂によって形成されている。基体５０を装着手段５３によって空冷用衣料２の襟元３部分の内面に取り付け、図３９のように、人体に装着すると、突起５２が胸５１に直接、または下着を介して接することになるが、この突起５２の先端（図３１、図３９では胸５１側端）は丸く加工され、しかも柔らかいので、胸５１に対して痛感を与えることはない。
【００４８】
さらに、この図３９の状態で、突起５２間には、通風路５４が形成されているので、背面側の空冷用送風機１から前側に回り、その後、下方から上方に上昇する送風は、この通風路５３を通過し、胸元から顔部分へとスムーズに向かうことになる。
つまり、本実施形態では、首筋の前側（顔側）への送風量を、後ろ側（首筋の後ろ側）よりも多くすることができる。
【００４９】
なお、上記した実施の形態１では、衣服において、装着部として人体の肩に対応する位置に空冷衣料用通風器が取り付けられ、胸元に対応する位置に補助通風器が取り付けられているが、通風路を確保することができれば、他の実施形態として、例えば、胴、背中、腕などに対応する任意の位置に取り付けられていてもよい。
【００５０】
（実施の形態２）
図２５、図２６は、空冷用送風機１を、本発明の一実施形態に係る他の空冷用衣料２に装着した状態を示すものである。
この実施形態２で用いる空冷用送風機１は、上記実施の形態１と全く同じ構成のものであるので、説明の煩雑化を避けるために説明は簡略化する。
【００５１】
すなわち、この実施形態で用いる空冷用送風機１の構成は、図５〜図２４の構成となっている。
この実施形態で特徴的なのは、空冷用衣料２の襟元３や、袖口４部分に、害虫（たとえば蚊）の駆除や、害虫への忌避を目的とする薬剤保持部３６を設けたことである。
具体的は、薬剤保持部３６は、たとえば液体の薬剤（ピレスロイド系薬剤）を塗布、噴霧すれば、適当量を含浸し、保持できるように非撥水状態で、多孔状態となっているので、ここに液体の薬剤（ピレスロイド系薬剤）を塗布、噴霧すれば、適当時間、その薬剤を保持できる構成となっている。
また、この薬剤保持部３６は、空冷用衣料２の外面に設けられ、人体に接することが少ない状態となるようにしている。
つまり、薬剤保持部３６は、空冷用衣料２の外面に別個に設けられたものであり、上記空冷用送風機１による外気は、空冷用衣料２内を通過し、空冷用衣料２の襟元３や、袖口４部分から外に吹き出される。
【００５２】
しかし、この薬剤保持部３６は、空冷用衣料２の襟元３や、袖口４部分の開口部近傍に設けられたものであるので、襟元３や、袖口４部分から空冷用送風機１による外気が勢いよく空冷用衣料２外に吹き出されるときには、その空気流に誘引される風が、薬剤保持部３６表面を流れ、次に、上記空冷用送風機１による直接風に合流し、襟元３部分では顔や首筋後方を上方に流れ、また、袖口４部分では手の周りを前方へと流れることになる。
つまり、薬剤保持部３６に含浸された薬剤が顔の周りや手の周りに吹き出されることになるので、害虫に対する駆除、害虫に対する忌避効果を発揮することになるのである。
【００５３】
なお、薬剤保持部３６を設けた空冷用衣料２部分に、貫通孔３７を設けることで、空冷用衣料２内を流れる空冷用送風機１による風の一部を貫通孔３７から噴出させ、薬剤保持部３６からの薬剤搬出効果を高めるようにしてもよい。
また、害虫に対する駆除、害虫に対する忌避効果という点では、空冷用送風機１は空冷用衣料２に図６のように傾斜状態で取り付ける必要はなく、具体的には、空冷用送風機１を空冷用衣料２に水平状態で取り付けてもよい。
【００５４】
なお、この実施形態でも、図３０〜図３９に示す構成を採用し、顔や首筋の前側における冷却効果と、害虫に対する駆除、害虫に対する忌避効果を高めることができる。
【００５５】
（実施の形態３）
図２７〜図２８は、空冷用送風機１を、本発明の一実施形態に係る、さらに、他の空冷用衣料２に装着した状態を示すものである。
【００５６】
この実施形態３で用いる空冷用送風機１は、上記実施の形態１と全く同じ構成のものであるので、説明の煩雑化を避けるために説明は簡略化する。
すなわち、この実施形態で用いる空冷用送風機１の構成は、図５〜図２４の構成となっている。
この実施形態で特徴的なのは、空冷用衣料２の襟元３近傍や、袖口４近傍部分に、害虫（たとえば蚊）の駆除や、害虫への忌避を目的とする薬剤保持部３８を設けたことである。
【００５７】
具体的は、薬剤保持部３８は、たとえば、ボタン３９を外して開口部を形成し、この開口部から、たとえば固形の薬剤４０（ピレスロイド系薬剤）を保持できるように通気性のある袋状となっている。
また、この薬剤保持部３８は、空冷用衣料２の外面に設けられ、人体に接することが少ない状態となるようにしている。
つまり、薬剤保持部３８は、空冷用衣料２の外面に別個に設けられたものであり、上記空冷用送風機１による外気は、空冷用衣料２内を通過し、空冷用衣料２の襟元３や、袖口４部分から外に吹き出される。
【００５８】
また、薬剤保持部３８を設けた空冷用衣料２部分に、貫通孔４１を設けることで、空冷用衣料２内を流れる空冷用送風機１による風の一部を貫通孔４１から噴出させ、ネット状の薬剤保持部３８内に保持された薬剤４０の表面に流し、次に、薬剤保持部３８外へと薬剤成分を搬出させるのである。
つまり、薬剤保持部３８に含浸された薬剤が顔の周りや手の周りに吹き出されることになるので、害虫に対する駆除、害虫に対する忌避効果を発揮することになるのである。
【００５９】
また、害虫に対する駆除、害虫に対する忌避効果という点では、空冷用送風機１は空冷用衣料２に図６のように傾斜状態で取り付ける必要はなく、具体的には、空冷用送風機１を空冷用衣料２に水平状態で取り付けてもよい。
【００６０】
なお、この実施形態でも、図３０〜図３９に示す構成を採用し、顔や首筋の前側における冷却効果と、害虫に対する駆除、害虫に対する忌避効果を高めることができる。
【産業上の利用可能性】
【００６１】
以上のように本発明は、空冷用衣料の冷却効果を高めることができる。
【符号の説明】
【００６２】
１    空冷用送風機
２    空冷用衣料
２ａ  絞り部分
３    襟元
４    袖口
５ａ  空気吸入口
５ｂ  空気吹出口
６    筒状ファンケース
７    ファン８    モータ
９    取付フランジ
１０  取付リング
１１  第１の係止部
１２  第２の係止部
１３  第１の係合部
１４  第２の係合部
１５  貫通孔
１６  通電部
１７  プラグ
１８  貫通孔
１９  第１の凹凸部
２０  第２の凹凸部
２１  送風ガイド
２２  モータ取付部
２３  第１の取付基準マーク
２４  枠状縫い目
２５  コーナ
２６  コーナ
２７  駆動回路
２８  バッテリー
２９  制御回路
３０  入力電圧検出回路
３１  昇圧回路
３２  出力電圧検出回路
３３  比較増幅回路
３４  外部ケース
３５  第２の取付基準マーク
３６  薬剤保持部
３７  貫通孔
３８  薬剤保持部
３９  ボタン
４０  薬剤
４１  貫通孔
４２  空冷衣料用通風器
４３  基体
４４  肩
４５  突起
４６  内側装着手段
４７  通風路
４８  外側装着手段
４９  補助通風器
５０  基体
５１  胸
５２  突起
５３  装着手段
５４  通風路
５５  肩部分内面
【図１】
2018044265.tif 000003
【図２】
2018044265.tif 000004
【図３】
2018044265.tif 000005
【図４】
2018044265.tif 000006
【図５】
2018044265.tif 000007
【図６】
2018044265.tif 000008
【図７】
2018044265.tif 000009
【図８】
2018044265.tif 000010
【図９】
2018044265.tif 000011
【図１０】
2018044265.tif 000012
【図１１】
2018044265.tif 000013
【図１２】
2018044265.tif 000014
【図１３】
2018044265.tif 000015
【図１４】
2018044265.tif 000016
【図１５】
2018044265.tif 000017
【図１６】
2018044265.tif 000018
【図１７】
2018044265.tif 000019
【図１８】
2018044265.tif 000020
【図１９】
2018044265.tif 000021
【図２０】
2018044265.tif 000022
【図２１】
2018044265.tif 000023
【図２２】
2018044265.tif 000024
【図２３】
2018044265.tif 000025
【図２４】
2018044265.tif 000026
【図２５】
2018044265.tif 000027
【図２６】
2018044265.tif 000028
【図２７】
2018044265.tif 000029
【図２８】
2018044265.tif 000030
【図２９】
2018044265.tif 000031
【図３０】
2018044265.tif 000032
【図３１】
2018044265.tif 000033
【図３２】
2018044265.tif 000034
【図３３】
2018044265.tif 000035
【図３４】
2018044265.tif 000036
【図３５】
2018044265.tif 000037
【図３６】
2018044265.tif 000038
【図３７】
2018044265.tif 000039
【図３８】
2018044265.tif 000040
【図３９】
2018044265.tif 000041
【手続補正書】
【提出日】平成29年2月16日(2017.2.16)
【手続補正１】
【補正対象書類名】明細書
【補正対象項目名】０００９
【補正方法】変更
【補正の内容】
【０００９】
そして、この目的を達成するために本発明は、空冷用衣料に装着される空冷衣料用通風器を提供するものであり、その構成は、前記空冷用衣料の肩部分内面へ装着される板状の基体と、前記肩部分内面から内側に向けて前記基体から突出した複数の突起と、前記基体を前記肩部分内面へ装着する装着手段とを備え、前記複数の突起は、前記基体の平面方向かつ前記空冷用衣料の肩線方向、および、前記基体の平面方向かつ前記空冷用衣料の肩線方向に直交する方向に、それぞれ所定間隔を置いて配置され、これら複数の突起間において、通風路を形成する構成とした。
【手続補正２】
【補正対象書類名】特許請求の範囲
【補正対象項目名】全文
【補正方法】変更
【補正の内容】
【特許請求の範囲】
【請求項１】
ファンにより空気を取り込んで冷却を行う空冷用衣料に装着される空冷衣料用通風器であって、前記空冷用衣料の肩部分内面へ装着される板状の基体と、前記肩部分内面から内側に向けて前記基体から突出した複数の突起と、前記基体を前記肩部分内面へ装着する装着手段とを備え、前記複数の突起は、前記基体の平面方向かつ前記空冷用衣料の肩線方向、および、前記基体の平面方向かつ前記空冷用衣料の肩線方向に直交する方向に、それぞれ所定間隔を置いて配置され、これら複数の突起間において、通風路を形成する空冷衣料用通風器。
【請求項２】
前記基体に、複数の突起を一体成形した請求項１に記載の空冷衣料用通風器。
【請求項３】
前記基体および前記複数の突起は、柔軟性のゴム、または柔軟性の合成樹脂によって形成した請求項１または２に記載の空冷衣料用通風器。
【請求項４】
前記装着手段は、突起よりも低い状態とした請求項１から３のいずれか一つに記載の空冷衣料用通風器。
【請求項５】
請求項１から４のいずれか一つに記載の空冷衣料用通風器が装着される空冷用衣料であって、ファンと、このファンを駆動するモータと、前記空冷衣料用通風器が装着される装着部とを備え、前記装着部は、肩部分の内面側に配置された空冷用衣料。
【請求項６】
前記ファンは、背面側に配置された請求項５に記載の空冷用衣料。
【請求項７】
前記ファンは、背面側において、上方側が外側に、下方側が内側に傾斜状態で装着された請求項６に記載の空冷用衣料。
【請求項８】
首周りの前面側は、後面側よりも下方に引き下げた形状とした請求項５から７のいずれか一つに記載の空冷用衣料。
【請求項９】
首周りの前面側の内面には、襟元部分の内面へ装着される基体と、前記襟元部分の内面から内側に向けて前記基体から突出した複数の突起と、前記基体を前記襟元部分の内面へ装着する装着手段とを備え、前記複数の突起は、前記基体の平面方向において所定間隔を置いて配置され、これら複数の突起間において、通風路を形成した補助通風器を配置した請求項８に記載の空冷用衣料。
【請求項１０】
前記補助通風器は、前記空冷衣料用通風器よりも小さくした請求項９に記載の空冷用衣料。
【手続補正書】
【提出日】平成29年6月23日(2017.6.23)
【手続補正１】
【補正対象書類名】明細書
【補正対象項目名】０００９
【補正方法】変更
【補正の内容】
【０００９】
そして、この目的を達成するために本発明は、空冷用衣料に装着される空冷衣料用通風器を提供するものであり、その構成は、前記空冷用衣料の肩部分内面へ装着される板状の基体と、前記肩部分内面から内側に向けて前記基体から突出した複数の突起と、前記基体を前記肩部分内面へ装着する装着手段とを備え、前記複数の突起は、前記基体の平面方向かつ前記空冷用衣料の肩線方向、および、前記基体の平面方向かつ前記空冷用衣料の肩線方向に直交する方向に、それぞれ所定間隔を置いて配置され、これら複数の突起間において、通風路を形成し、前記装着手段は、前記突起間において、該突起よりも低い状態とした。
【手続補正２】
【補正対象書類名】特許請求の範囲
【補正対象項目名】全文
【補正方法】変更
【補正の内容】
【特許請求の範囲】
【請求項１】
ファンにより空気を取り込んで冷却を行う空冷用衣料に装着される空冷衣料用通風器であって、前記空冷用衣料の肩部分内面へ装着される板状の基体と、前記肩部分内面から内側に向けて前記基体から突出した複数の突起と、前記基体を前記肩部分内面へ装着する装着手段とを備え、前記複数の突起は、前記基体の平面方向かつ前記空冷用衣料の肩線方向、および、前記基体の平面方向かつ前記空冷用衣料の肩線方向に直交する方向に、それぞれ所定間隔を置いて配置され、これら複数の突起間において、通風路を形成し、前記装着手段は、前記突起間において、該突起よりも低い状態とした空冷衣料用通風器。
【請求項２】
前記基体に、複数の突起を一体成形した請求項１に記載の空冷衣料用通風器。
【請求項３】
前記基体および前記複数の突起は、柔軟性のゴム、または柔軟性の合成樹脂によって形成した請求項１または２に記載の空冷衣料用通風器。
【請求項４】
請求項１から３のいずれか一つに記載の空冷衣料用通風器が装着される空冷用衣料であって、ファンと、このファンを駆動するモータと、前記空冷衣料用通風器が装着される装着部とを備え、前記装着部は、肩部分の内面側に配置された空冷用衣料。
【請求項５】
前記ファンは、背面側に配置された請求項４に記載の空冷用衣料。
【請求項６】
前記ファンは、背面側において、上方側が外側に、下方側が内側に傾斜状態で装着された請求項５に記載の空冷用衣料。
【請求項７】
首周りの前面側は、後面側よりも下方に引き下げた形状とした請求項４から６のいずれか一つに記載の空冷用衣料。
【請求項８】
首周りの前面側の内面には、襟元部分の内面へ装着される基体と、前記襟元部分の内面から内側に向けて前記基体から突出した複数の突起と、前記基体を前記襟元部分の内面へ装着する装着手段とを備え、前記複数の突起は、前記基体の平面方向において所定間隔を置いて配置され、これら複数の突起間において、通風路を形成した補助通風器を配置した請求項７に記載の空冷用衣料。
【請求項９】
前記補助通風器は、前記空冷衣料用通風器よりも小さくした請求項８に記載の空冷用衣料。